(57)【要約】【課題】情報の書き込みや読み出しを可能とする状態と不可能とする状態とを可逆的に切り替える。【解決手段】２つの導体１２ａ，１２ｂからなるアンテナとこのアンテナを介して情報の書き込み及び読み出しが可能なＩＣチップ１１とが設けられたアンテナ片１０と、このアンテナ片１０に折り部３０を介して折り畳み可能に連接し、折り部３０にて折り畳まれた場合に導体１２ａ，１２ｂと対向する領域に金属箔２１が塗布された導電片２０とから構成する。【選択図】図１
2007122467.tif 000002
【特許請求の範囲】
【請求項１】
導電性のアンテナと該アンテナを介して情報の書き込み及び／または読み出しが可能なＩＣチップとがシート基材に設けられてなるＲＦ−ＩＤメディアにおいて、
前記シート基材は、折り部を介して折り畳み可能に連接した第１のシート部と第２のシート部とからなり、
前記アンテナ及び前記ＩＣチップは、前記第１のシート部に設けられ、
前記第２のシート部には、前記折り部にて折り畳まれた場合に前記アンテナの少なくとも一部と対向する領域に反射導電板が設けられていることを特徴とするＲＦ−ＩＤメディア。
【発明の詳細な説明】
【技術分野】
【０００１】
本発明は、非接触状態にて情報の書き込み及び／または読み出しが可能な非接触型ＩＣカードや非接触型ＩＣラベル等のＲＦ−ＩＤメディアに関し、特に、情報の書き込み及び／または読み出しの可否の切り替え技術に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。
【０００４】
非接触状態にて情報の書き込み及び読み出しが可能な非接触型ＩＣカードや非接触型ＩＣラベル、非接触型ＩＣタグにおいては、近年、小型化及び通信可能距離を確保するために、９００ＭＨｚ〜１０００ＭＨｚの周波数帯を利用して通信を行う微細なＩＣチップが用いられ始めている。
【０００５】
このような微細なＩＣチップを用いた場合、ＩＣチップに導電性のアンテナを接続することにより、ＩＣチップの通信可能距離を延ばすことができる。
【０００６】
図５は、９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【０００７】
本構成例は図５に示すように、樹脂や紙等からなるベース基材２０２上に、互いに直列に並ぶように所定の間隔を有して形成された２つの帯状の導体２１０ａ，２１０ｂからなるアンテナ部２１０が形成されており、この２つの導体２１０ａ，２１０ｂに接続されるように、非接触状態にて情報の書き込み及び読み出しが可能なＩＣチップ２０１が搭載されて構成されている。
【０００８】
上記のように構成された非接触型ＩＣタグ２００においては、外部に設けられた情報書込／読出装置（不図示）に近接させることにより、情報書込／読出装置からの電波によりアンテナ部２１０に電流が流れ、この電流がＩＣチップ２０１に供給され、それにより、非接触状態において、情報書込／読出装置からＩＣチップ２０１に情報が書き込まれたり、ＩＣチップ２０１に書き込まれた情報が情報書込／読出装置にて読み出されたりする。
【０００９】
上述したような非接触型ＩＣタグ２００においては、その用途や状況に応じて、情報の書き込みや読み出しを可能としたり不可能としたりする必要が生じる場合がある。
【００１０】
ここで、コイル状のアンテナにＩＣチップが接続された電磁誘導型のＲＦＩＤタグラベルにおいて、アンテナ及びＩＣチップが配置された領域を、物品等に貼着される他の領域から切り離し可能としたものが考えられている（例えば、特許文献１参照。）。この技術を上述した非接触型ＩＣタグ２００にも適用し、その非接触型ＩＣタグ２００を物品に取り付け、非接触型ＩＣタグ２００に対して情報の書き込みや読み出しを行うことにより、物品を管理することができる。そして、アンテナ及びＩＣチップが配置された領域を他の領域から切り離すことにより、その物品に取り付けられた非接触型ＩＣタグ２００に対する情報の書き込みや読み出しを不可能とすることができる。
【特許文献１】特開２００５−１９６３７７号公報
【発明の開示】
【発明が解決しようとする課題】
【００１１】
しかしながら、上述したように、アンテナ及びＩＣチップが配置された領域を、物品等に取り付けられる他の領域から切り離し可能としたものにおいては、アンテナ及びＩＣチップが配置された領域を他の領域から切り離した後に、再度、物品に取り付けられた非接触型ＩＣタグに対する情報の書き込みや読み出しを可能とすることができないという問題点がある。
【００１２】
本発明は、上述したような従来の技術が有する問題点に鑑みてなされたものであって、情報の書き込みや読み出しを可能とする状態と不可能とする状態とを可逆的に切り替えることができるＲＦ−ＩＤメディアを提供することを目的とする。
【課題を解決するための手段】
【００１３】
上記目的を達成するために本発明は、
導電性のアンテナと該アンテナを介して情報の書き込み及び／または読み出しが可能なＩＣチップとがシート基材に設けられてなるＲＦ−ＩＤメディアにおいて、
前記シート基材は、折り部を介して折り畳み可能に連接した第１のシート部と第２のシート部とからなり、
前記アンテナ及び前記ＩＣチップは、前記第１のシート部に設けられ、
前記第２のシート部には、前記折り部にて折り畳まれた場合に前記アンテナの少なくとも一部と対向する領域に反射導電板が設けられていることを特徴とする。
【００１４】
上記のように構成された本発明においては、折り部を介して折り畳み可能に連接した第１のシート部と第２のシート部とを見開いた状態でＩＣチップに対する情報の書き込みや読み出しが可能となるようにアンテナの形状を設計しておけば、第１のシート部と第２のシート部とを見開いた場合に情報の書き込みや読み出しが可能となり、また、第１のシート部と第２のシート部とを折り部にて折り畳むと、第１のシート部に設けられたアンテナの少なくとも一部が第２のシート部に設けられた反射導電板と対向することにより通信特性が変化し、それにより、第１のシート部側から情報の書き込みや読み出しを行った場合でも、情報の書き込みや読み出しが不可能となる。また、第１のシート部と第２のシート部とを折り部にて折り畳んだ状態、すなわち第１のシート部に設けられたアンテナの少なくとも一部が第２のシート部に設けられた反射導電板と対向した状態で第１のシート部側から情報の書き込みや読み出しを行った場合にＩＣチップに対する情報の書き込みや読み出しが可能となるようにアンテナの形状を設計しておけば、第１のシート部と第２のシート部とを折り部にて折り畳んだ状態で第１のシート部側から情報の書き込みや読み出しが可能となり、また、第１のシート部と第２のシート部とを見開くと、アンテナが反射導電板と対向しなくなることにより通信特性が変化し、それにより、情報の書き込みや読み出しが不可能となる。
【００１５】
このように、折り部を介して折り畳み可能に連接した第１のシート部と第２のシート部とを見開いたり折り畳んだりすることにより、通信特性が変化し、情報の書き込みや読み出しを可能とする状態と不可能とする状態とが切り替わることになる。
【発明の効果】
【００１６】
以上説明したように本発明においては、第１のシート部と第２のシート部とが折り部を介して折り畳み可能に連接し、第１のシート部には、導電性のアンテナとこのアンテナを介して情報の書き込み及び／または読み出しが可能なＩＣチップとが設けられ、第２のシート部には、折り部にて折り畳まれた場合にアンテナの少なくとも一部と対向する領域に反射導電板が設けられている構成としたため、第１のシート部と第２のシート部とを見開いたり折り畳んだりすることにより、通信特性が変化し、情報の書き込みや読み出しを可能とする状態と不可能とする状態とを可逆的に切り替えることができる。
【発明を実施するための最良の形態】
【００１７】
以下に、本発明の実施の形態について図面を参照して説明する。
【００１８】
（第１の実施の形態）
図１は、本発明のＲＦ−ＩＤメディアの第１の実施の形態である非接触型ＩＣラベルの構成を示す図であり、（ａ）は平面構造を示す図、（ｂ）は（ａ）に示したＡ−Ａ’断面図である。
【００１９】
本形態は図１に示すように、フィルムシート１と表面シート２とが剥離不可能な粘着剤３ａによって互いに貼着されてシート基材であるベース基材４となり、第１のシート部であるアンテナ片１０と、第２のシート部である導電片２０とが折り部３０を介して折り畳み可能に連接して構成されている。なお、折り部３０は、筋押しによる折り線やミシン目等によって形成することが考えられる。
【００２０】
アンテナ片１０においては、フィルムシート１の表面シート２とは反対側の面に、互いに直列に並ぶように所定の間隔を有してアンテナとなる帯状の２つの導体１２ａ，１２ｂが形成され、この２つの導体１２ａ，１２ｂに接続されるように、導体１２ａ，１２ｂを介して非接触状態にて情報の書き込み及び読み出しが可能なＩＣチップ１１が搭載されている。また、フィルムシート１の導体１２ａ，１２ｂが形成された面の全面には、貼着後の剥離及び再貼着が可能な粘着剤３ｃが塗布されており、表面シート２のフィルムシート１とは反対側の面の一部には、貼着後の剥離及び再貼着が可能な粘着剤３ｄが塗布されている。
【００２１】
導電片２０においては、フィルムシート１の表面シート２とは反対側の面のうち、外周を除いた部分に反射導電板である金属箔２１が塗布されている。これにより、アンテナ片１０と導電片２０とを折り部３０にて折り畳むと、アンテナ片１０に設けられたＩＣチップ１１及び導体１２ａ，１２ｂが金属箔２１と対向するようになる。また、フィルムシート１の金属箔２１が塗布された面の全面には、貼着後の剥離が不可能な粘着剤３ｂが塗布されている。
【００２２】
以下に、上記のように構成された非接触型ＩＣラベルの使用方法について説明する。
【００２３】
図２は、図１に示した非接触型ＩＣラベルの使用方法を説明するための図であり、（ａ）はアンテナ片１０と導電片２０とを見開いた状態を示す図、（ｂ）はアンテナ片１０と導電片２０とを折り部３０にて折り畳んだ状態を示す図である。
【００２４】
図１に示した非接触型ＩＣラベルにおいては、ＩＣチップ１１に対しての情報の書き込み及び読み出しが可能な距離を確保するために導体１２ａ，１２ｂからなるアンテナとＩＣチップ１１とのインピーダンス整合をとる必要があり、そのために、導体１２ａ，１２ｂの形状がＩＣチップ１１に対する情報の書き込み及び読み出しの周波数に応じて設計されている。ところが、アンテナを構成する導体１２ａ，１２ｂが金属に対向した場合、金属における電波の反射や吸収等によって通信特性が変化し、導体１２ａ，１２ｂからなるアンテナにおける共振周波数がＩＣチップ１１に対する情報の書き込み及び読み出しの周波数に対してずれてしまい、非接触型ＩＣラベルの導体１２ａ，１２ｂ側から情報の書き込みや読み出しを行った場合でも、ＩＣチップに対する情報の書き込み及び読み出しができなくなってしまったり、安定した通信距離を確保することができなくなってしまったりする。
【００２５】
そこで、本形態においては、アンテナを構成する導体１２ａ，１２ｂが金属と対向しない状態でＩＣチップ１１に対する情報の書き込みや読み出しが可能となるように導体１２ａ，１２ｂの形状を設計しておく。
【００２６】
このように設計された非接触型ＩＣラベルについて、ＩＣチップ１１に対して情報の書き込みや読み出しを可能としたい場合は、図２（ａ）に示すように、アンテナ片１０と導電片２０を見開いた状態として、フィルムシート１に塗布された粘着剤３ｂ，３ｃによって被着体となる物品４０に貼着する。この状態では、アンテナを構成する導体１２ａ，１２ｂと、フィルムシート１の導電片２０となる領域に塗布された金属箔２１とは互いに対向しない。そのため、ＩＣチップ１１に対する情報の書き込みや読み出しが可能となる。この場合、非接触型ＩＣラベルは、粘着剤３ｂ，３ｃによって物品４０に貼着されて固定されている。
【００２７】
また、ＩＣチップ１１に対して情報の書き込みや読み出しを不可能としたい場合は、図２（ｂ）に示すように、アンテナ片１０と導電片２０とを折り部３０にて折り畳む。非接触型ＩＣラベルと物品４０とを貼着している粘着剤３ｂ，３ｃのうち、アンテナ片１０を物品４０に貼着している粘着剤３ｃは、上述したように貼着後の剥離が可能なものであるため、アンテナ片１０を物品４０から剥離することができる。アンテナ片１０を物品４０から剥離し、アンテナ片１０と導電片２０とを折り部３０を介して折り畳むと、表面シート２がアンテナ片１０となる領域と導電片２０となる領域とで粘着剤３ｄを介して対向し、この粘着剤３ｄによってアンテナ片１０と導電片２０とが貼着される。この状態では、アンテナを構成する導体１２ａ，１２ｂと、フィルムシート１の導電片２０となる領域に塗布された金属箔２１とが互いに対向する。そのため、金属箔２１の影響によって通信特性が変化し、導体１２ａ，１２ｂからなるアンテナにおける共振周波数がＩＣチップ１１に対する情報の書き込み及び読み出しの周波数に対してずれ、物品４０とは反対側となるアンテナ片１０側から情報の書き込みや読み出しを行った場合でも、ＩＣチップ１１に対する情報の書き込み及び読み出しが不可能となる。
【００２８】
その後、再度、ＩＣチップ１１に対して情報の書き込みや読み出しを可能としたい場合は、粘着剤３ｄによって互いに貼着されたアンテナ片１０と導電片２０とを剥離し、図２（ａ）に示した状態とする。アンテナ片１０と導電片２０とを貼着していた粘着剤３ｄは、上述したように貼着後の剥離が可能なものであるため、アンテナ片１０と導電片２０とを貼着した後にこれらを剥離することができる。
【００２９】
（第２の実施の形態）
図３は、本発明のＲＦ−ＩＤメディアの第２の実施の形態である非接触型ＩＣラベルの構成を示す図であり、（ａ）は平面構造を示す図、（ｂ）は（ａ）に示したＡ−Ａ’断面図である。
【００３０】
本形態は図３に示すように、フィルムシート１０１と表面シート１０２とが剥離不可能な粘着剤１０３ａによって互いに貼着されてシート基材であるベース基材１０４となり、第１のシート部であるアンテナ片１１０と、第２のシート部である導電片１２０とが折り部１３０を介して折り畳み可能に連接して構成されている。なお、折り部１３０は、筋押しによる折り線やミシン目等によって形成することが考えられる。
【００３１】
アンテナ片１１０においては、フィルムシート１０１の表面シート１０２とは反対側の面に、互いに直列に並ぶように所定の間隔を有してアンテナとなる２つの導体１１２ａ，１１２ｂが形成され、この２つの導体１１２ａ，１１２ｂに接続されるように、導体１１２ａ，１１２ｂを介して非接触状態にて情報の書き込み及び読み出しが可能なＩＣチップ１１１が搭載されている。この２つの導体１１２ａ，１１２ｂは、ＩＣチップ１１１との接続点から離れる方向に広がるボウタイアンテナがＩＣチップ１１１との接続点から離れる方向に複数連接して構成されている。また、フィルムシート１０１の導体１１２ａ，１１２ｂが形成された面の全面には、貼着後の剥離及び再貼着が可能な粘着剤１０３ｃが塗布されており、表面シート１０２のフィルムシート１０１とは反対側の面の一部には、貼着後の剥離及び再貼着が可能な粘着剤１０３ｄが塗布されている。
【００３２】
導電片１２０においては、フィルムシート１０１の表面シート１０２とは反対側の面のうち、外周を除いた部分に反射導電板である金属箔１２１が塗布されている。これにより、アンテナ片１１０と導電片１２０とを折り部１３０にて折り畳むと、アンテナ片１１０に設けられたＩＣチップ１１１及び導体１１２ａ，１１２ｂが金属箔１２１と対向するようになる。また、フィルムシート１０１の金属箔１２１が塗布された面の全面には、貼着後の剥離が不可能な粘着剤１０３ｂが塗布されている。
【００３３】
以下に、上記のように構成された非接触型ＩＣラベルの使用方法について説明する。
【００３４】
図４は、図３に示した非接触型ＩＣラベルの使用方法を説明するための図であり、（ａ）はアンテナ片１１０と導電片１２０とを見開いた状態を示す図、（ｂ）はアンテナ片１１０と導電片１２０とを折り部１３０にて折り畳んだ状態を示す図である。
【００３５】
本形態においては、第１の実施の形態に示したものとは反対に、アンテナを構成する導体１１２ａ，１１２ｂが金属と対向した状態、すなわち、アンテナ片１１０と導電片１２０とを折り部１３０にて折り畳み、導体１１２ａ，１１２ｂが金属箔１２１と対向した状態でＩＣチップ１１１に対する情報の書き込みや読み出しが可能となるように導体１１２ａ，１１２ｂの形状を設計しておく。ここで、アンテナ片１１０と導電片１２０とを折り部１３０にて折り畳み、アンテナ片１１０側からＩＣチップ１１１に対して情報の書き込みや読み出しを行った場合、導体１１２ａ，１１２ｂと対向した金属箔１２１が反射板として機能することになる。そのため、導体１１２ａ，１１２ｂの形状は、金属箔１２１による反射板の影響を含めた状態において、ＩＣチップ１１１に対する情報の書き込みや読み出しが可能となるように設計しておく。
【００３６】
このように設計された非接触型ＩＣラベルについて、ＩＣチップ１１１に対して情報の書き込みや読み出しを可能としたい場合は、図４（ａ）に示すように、アンテナ片１１０と導電片１２０とを折り部１３０にて折り畳む。すると、表面シート１０２がアンテナ片１１０となる領域と導電片１２０となる領域とで粘着剤１０３ｄを介して対向し、この粘着剤１０３ｄによってアンテナ片１１０と導電片１２０とが貼着される。この状態では、アンテナを構成する導体１１２ａ，１１２ｂと、フィルムシート１０１の導電片１２０となる領域に塗布された金属箔１２１とが互いに対向する。そのため、ＩＣチップ１１１に対する情報の書き込みや読み出しが可能となる。この場合、非接触型ＩＣラベルは、粘着剤１０３ｂによって物品１４０に貼着されて固定されている。
【００３７】
また、ＩＣチップ１１１に対して情報の書き込みや読み出しを不可能としたい場合は、図４（ｂ）に示すように、粘着剤１０３ｄによって互いに貼着されたアンテナ片１１０と導電片１２０とを剥離し、アンテナ片１１０と導電片１２０を見開いた状態として、フィルムシート１０１に塗布された粘着剤１０３ｃによってアンテナ片１１０を被着体となる物品１４０に貼着する。アンテナ片１１０と導電片１２０とを貼着していた粘着剤１０３ｄは、上述したように貼着後の剥離が可能なものであるため、アンテナ片１１０と導電片１２０とを貼着した後にこれらを剥離することができる。この状態では、アンテナを構成する導体１１２ａ，１１２ｂと、フィルムシート１０１の導電片１２０となる領域に塗布された金属箔１２１とは互いに対向しない。そのため、金属箔１２１の影響がなくなり、導体１１２ａ，１１２ｂからなるアンテナにおける共振周波数がＩＣチップ１１１に対する情報の書き込み及び読み出しの周波数に対してずれ、ＩＣチップ１１１に対する情報の書き込み及び読み出しが不可能となる。
【００３８】
その後、再度、ＩＣチップ１１１に対して情報の書き込みや読み出しを可能としたい場合は、粘着剤１０３ｃによって物品１４０に貼着されたアンテナ片１１０を物品１４０から剥離する。アンテナ片１１０を物品１４０に貼着していた粘着剤１０３ｃは、上述したように貼着後の剥離が可能なものであるため、アンテナ片１１０を物品１４０から剥離することができる。そして、アンテナ片１１０と導電片１２０とを折り部１３０を介して折り畳み、粘着剤１０３ｄによってアンテナ片１１０と導電片１２０とを貼着し、図４（ａ）に示した状態とする。表面シート１０２のアンテナ片１１０となる領域に塗布された粘着剤１０３ｄは、上述したように再貼着が可能なものであるため、アンテナ片１１０と導電片１２０とを再び貼着することができる。
【００３９】
なお、上述した２つの実施の形態においては、フィルムシート１，１０１の表面シート２，１０２とは反対側の面のうち、外周を除いた部分に金属箔２１，１２１が塗布されているが、金属箔２１，１２１は、アンテナ片１０，１１０と導電片２０，１２０とが折り部３０，１３０にて折り畳まれた場合に導体１２ａ，１２ｂ，１１２ａ，１１２ｂと対向する領域に塗布されていればよい。また、導体１２ａ，１２ｂ，１１２ａ，１１２ｂの形状によっては、アンテナ片１０，１１０と導電片２０，１２０とが折り部３０，１３０にて折り畳まれた場合に導体１２ａ，１２ｂ，１１２ａ，１１２ｂの一部のみに金属箔２１，１２１が対向するような構成とすることも考えられる。
【００４０】
また、アンテナ片１０，１１０と導電片２０，１２０とを貼着する手段として、貼着後の剥離及び再貼着が可能な粘着剤３ｃ，１０３ｃを用いたが、表面シート２，１０２のフィルムシート１，１０１とは反対側の面の全面、あるいは、アンテナ片１０，１１０と導電片２０，１２０とが折り部３０，１３０にて折り畳まれた場合に互いに対向する領域に、互いにのみ貼着可能な粘着剤を塗布しておくことも考えられる。このような粘着剤は、例えば、自己粘着性を有する水性アクリル系エマルジョン粘着剤のような、手で押し付ける等といった通常の圧力で自己のみが貼着可能なものが考えられる。すなわち、この粘着剤によってアンテナ片１０，１１０と導電片２０，１２０とは互いにのみ貼着可能となり、他の紙や樹脂とは貼着しない。そのため、アンテナ片１０，１１０と導電片２０，１２０とを互いに貼着可能な構成としながらも、アンテナ片１０，１１０と導電片２０，１２０が見開いた状態において、非接触型ＩＣラベルの表面がベタつくことがなくなる。その粘着剤の一例としては、リカボンドＡＰ−２１７（中央理化製）が挙げられる。
【００４１】
また、表面シート２，１０２のフィルムシート１，１０１とは反対側の面のうちアンテナ片１０，１１０となる領域の一部に、貼着後の剥離及び再貼着が可能な粘着剤３ｄ，１０３ｄが塗布されているが、粘着剤３ｄ，１０３ｄが塗布される領域は、表面シート２，１０２のフィルムシート１，１０１とは反対側の面のうち、アンテナ片１０，１１０となる領域の全面であってもよい。また、粘着剤３ｄ，１０３ｄを塗布せずに、フィルムシート１，１０２及び表面シート２，１０２のアンテナ片１０，１１０となる領域にタブを形成し、フィルムシート１，１０２及び表面シート２，１０２の導電片２０，１２０となる領域のうち、アンテナ片１０，１１０と導電片２０，１２０とを折り部３０，１３０にて折り畳んだ場合にタブと対向する領域にタブが入り込めるような切り込みを形成しておき、アンテナ片１０，１１０と導電片２０，１２０とを折り部３０，１３０にて折り畳んだ際にこのタブを切り込みに入り込ませる構成とすることも考えられる。
【００４２】
また、フィルムシート１，１０１の表面シート２，１０２とは反対側の面のうちアンテナ片１０，１１０となる領域に塗布された粘着剤３ｃ，１０３ｃにおいては、この非接触型ＩＣラベルが粘着剤３ｂ，１０３ｂによって貼着される物品４０，１４０の形状によっては塗布されていない構成とすることも考えられる。
【００４３】
また、上述した２つの実施の形態においては、非接触状態にて情報の書き込み及び読み出しが可能なＩＣチップ１１，１１１を用いたものを例に挙げて説明したが、非接触状態にて情報の書き込みと読み出しのいずれか一方のみが可能なものを用いたものであってもよい。
【００４４】
また、２つの導体１２ａ，１２ｂ，１１２ａ，１１２ｂからアンテナが構成されているが、ＩＣチップ１１，１１１に接続された１つの導体から構成されたアンテナを用いることも考えられる。
【図面の簡単な説明】
【００４５】
【図１】本発明のＲＦ−ＩＤメディアの第１の実施の形態である非接触型ＩＣラベルの構成を示す図であり、（ａ）は平面構造を示す図、（ｂ）は（ａ）に示したＡ−Ａ’断面図である。
【図２】図１に示した非接触型ＩＣラベルの使用方法を説明するための図であり、（ａ）はアンテナ片と導電片とを見開いた状態を示す図、（ｂ）はアンテナ片と導電片とを折り部にて折り畳んだ状態を示す図である。
【図３】本発明のＲＦ−ＩＤメディアの第２の実施の形態である非接触型ＩＣラベルの構成を示す図であり、（ａ）は平面構造を示す図、（ｂ）は（ａ）に示したＡ−Ａ’断面図である。
【図４】図３に示した非接触型ＩＣラベルの使用方法を説明するための図であり、（ａ）はアンテナ片と導電片とを見開いた状態を示す図、（ｂ）はアンテナ片と導電片とを折り部にて折り畳んだ状態を示す図である。
【図５】９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【符号の説明】
【００４６】
１，１０１    フィルムシート
２，１０２    表面シート
３ａ，３ｂ，３ｃ，３ｄ，１０３ａ，１０３ｂ，１０３ｃ，１０３ｄ    粘着剤
４，１０４    ベース基材
１０，１１０    アンテナ片
１１，１１１    ＩＣチップ
１２ａ，１２ｂ，１１２ａ，１１２ｂ    導体
２０，１２０    導電片
２１，１２１    金属箔
３０，１３０    折り部
４０，１４０    物品
【図１】
2007122467.tif 000003
【図２】
2007122467.tif 000004
【図３】
2007122467.tif 000005
【図４】
2007122467.tif 000006
【図５】
2007122467.tif 000007